(57)【要約】【課題】マネーケースの破損を防止することができるドロワ装置を得る。【解決手段】前面に開口部を有するキャビネットにその開口部から引出自在に収納される上面開口のキャッシュボックス４と、硬貨を収納するコインケース９と紙幣を収納する紙幣収納部と前面壁から略水平方向へ伸びるフランジ部Ｆとを有してキャッシュボックス４に着脱自在に収納されるマネーケース５と、を備えるドロワ装置において、フランジ部Ｆの略先端からマネーケース５の前面壁に向かって傾斜するガイド部材Ｇを設けるようにした。このガイド部材Ｇによって、フランジ部Ｆがキャッシュボックス４の前面壁の上端に引っ掛からずに滑り落ち、マネーケース５がキャッシュボックス４内に導かれて完全に収納されるので、マネーケース５の破損を防止することができる。【選択図】　　図５
2004126668.tif 000002
【特許請求の範囲】
【請求項１】
前面に開口部を有するキャビネットと、
前記開口部から前記キャビネットに引出自在に収納される上面開口のキャッシュボックスと、
硬貨を収納するコインケースと、
上面開口の筐体状に形成され、前記コインケースを上面から収納するケース収納部と紙幣を上面から収納する紙幣収納部とを有し、前記キャッシュボックスの上面から前記キャッシュボックスに着脱自在に収納されるマネーケースと、
前記マネーケースの前面壁の上端から略水平方向に伸びるフランジ部と、
前記フランジ部の略先端から前記マネーケースの前面壁に向かって傾斜するガイド部材と、
を具備するドロワ装置。
【請求項２】
前記ガイド部材は、前記フランジ部の両端に各々設けられている請求項１記載のドロワ装置。
【発明の詳細な説明】
【０００１】
【発明の属する技術分野】
本発明は、ドロワ装置に関する。
【０００２】
【従来の技術】
一般に、ドロワ装置は、ＥＣＲ（Ｅｌｅｃｔｒｏｎｉｃ　Ｃａｓｈ　Ｒｅｇｉｓｔｅｒ：電子式キャッシュレジスタ）やＰＯＳ（Ｐｏｉｎｔ　ｏｆ　Ｓａｌｅｓ：販売時点情報管理）端末等の商品販売データ処理装置による商品販売処理に連動して金銭を出し入れするための装置である。
【０００３】
この種のドロワ装置１００は、例えば、図６に示すように、金銭を収納するためのマネーケース１０１が着脱自在に収納された上面開口のキャッシュボックス１０２と、このキャッシュボックス１０２を引出自在に収納するキャビネット１０３とを備え、ＥＣＲ（図示せず）に接続されており、ＥＣＲ側の商品販売処理に伴う締め処理に連動してキャッシュボックス１０２を開放する構造になっている。このようなドロワ装置１００は、通常、キャッシュボックス１０２を操作者側に開放するように設置されている。
【０００４】
マネーケース１０１には、高額紙幣や商品券等の取引に関わる券を収納する券収納部１０４が操作者から見て手前側に設けられており、高額紙幣以外の紙幣を金種別に収納する複数の紙幣収納部１０５が操作者から見て奥側に設けられている。そして、券収納部１０４の上部には、硬貨を金種別に収納するコインケース１０６が着脱自在に収納されている。
【０００５】
さらに、マネーケース１０１の手前側に位置する前面壁には、その上端から略水平方向に伸びるフランジ部Ｆが設けられている。このフランジ部Ｆは、マネーケース１０１を補強する補強材として機能し、マネーケース１０１に対するコインケース１０６の着脱時やキャッシュボックス１０２に対するマネーケース１０１の着脱時等にマネーケース１０１の破損を防止する。
【０００６】
ここで、マネーケース１０１はフランジ部Ｆが前面壁の上端から突出する構造になっているが、これは、射出成型されたマネーケース１０１の金型からの取り外し作業を容易にすることができ、同時に、金型の設計を簡単にするのでコストを抑えることができるためである。
【０００７】
一方、マネーケース１０１を補強することは、フランジ部Ｆを設けなくてもマネーケース１０１を肉厚に形成することで実現できる。ところが、マネーケース１０１は、紙幣や硬貨等が収納された状態でキャッシャ等により持ち運びされるためその軽量化が望まれており、さらに、その材料費を抑えるためにも、その肉厚を必要強度に基づき可能な限り薄くして形成されている。
【０００８】
上述したような構成で、キャッシュボックス１０２がＥＣＲにおける締め処理での締め操作に基づき自動的にキャビネット１０３から引出開放されると、操作者は顧客から受け取った紙幣を紙幣収納部１０５に収納するとともに受け取った硬貨をコインケース１０６に収納する。受け取った紙幣が高額紙幣や商品券等であった場合には、コインケース１０６を持ち上げて券収納部１０４に収納する。
【０００９】
また、操作者が一旦取り出したマネーケース１０１を引出開放されたキャッシュボックス１０２内に収納する場合には、操作者はマネーケース１０１を傾斜させ、マネーケース１０１の先端をキャッシュボックス１０２の奥側へ挿入し、徐々にマネーケース１０１の手前側を降下させることでマネーケース１０１を収納する。
【００１０】
【発明が解決しようとする課題】
しかしながら、マネーケース１０１の収納時に、マネーケース１０１の先端がキャッシュボックス１０２の奥側まで十分に挿入されず、マネーケース１０１のフランジ部Ｆがキャッシュボックス１０２の前面壁の上端に引っ掛かってしまい、マネーケース１０１がキャッシュボックス１０２内に完全に収まらない場合がある。この状態で、操作者がキャッシュボックス１０２をキャビネット１０３に収納しようと押し込むと、フランジ部Ｆがキャッシュボックス１０２とキャビネット１０３とに挟まれ、マネーケース１０１に強い衝撃が加えられて、マネーケース１０１が破損してしまうという問題がある。
【００１１】
本発明の目的は、マネーケースの破損を防止することができるドロワ装置を得ることである。
【００１２】
【課題を解決するための手段】
本発明のドロワ装置は、前面に開口部を有するキャビネットと、前記開口部から前記キャビネットに引出自在に収納される上面開口のキャッシュボックスと、硬貨を収納するコインケースと、上面開口の筐体状に形成され、前記コインケースを上面から収納するケース収納部と紙幣を上面から収納する紙幣収納部とを有し、前記キャッシュボックスの上面から前記キャッシュボックスに着脱自在に収納されるマネーケースと、前記マネーケースの前面壁の上端から略水平方向に伸びるフランジ部と、前記フランジ部の略先端から前記マネーケースの前面壁に向かって傾斜するガイド部材と、を具備する。
【００１３】
したがって、操作者が一旦取り出したマネーケースを引出開放されたキャッシュボックス内に収納する際に、フランジ部がガイド部材によってキャッシュボックスの前面壁の上端に引っ掛からずに滑り落ち、マネーケースがキャッシュボックス内に導かれて完全に収納される。
【００１４】
【発明の実施の形態】
本発明の実施の一形態を図１ないし図５に基づいて説明する。本実施の形態は、ＥＣＲに接続されるドロワ装置に適用した一例である。なお、以下の説明において方向を述べる際には、操作者から見た方向を適用する。
【００１５】
図１はドロワ装置１をＥＣＲ３と共に概略的に示す外観斜視図である。図１に示すように、ドロワ装置１は、薄型偏平な筐体であって前面に開口部２ａを有するキャビネット２を備え、このキャビネット２の上部に載置されたＥＣＲ３に接続されている。キャビネット２には、上面開口のキャッシュボックス４がキャビネット２の開口部２ａから引出自在に収納されている。
【００１６】
図２はキャッシュボックス４の構造を概略的に示す分解斜視図である。図２に示すように、キャッシュボックス４には、筐体状に形成された上面開口のマネーケース５が着脱自在に収納されている。このマネーケース５には、高額紙幣や商品券等の取引に関わる券を収納する券収納部６と高額紙幣以外の紙幣を金種別に収納する複数の紙幣収納部７とが仕切られた状態で設けられており、券収納部６が手前側に位置付けられ、複数の紙幣収納部７が奥側に位置付けられている。これらの紙幣収納部７には、上下方向に回動自在に軸支された複数の札押え８が各々設けられている。そして、券収納部６の上部には、コインケース９が着脱自在に収納されている。このコインケースには、硬貨を金種別に収納する複数の硬貨収納部１０が仕切られた状態で設けられている。なお、券収納部６がケース収納部として機能する。
【００１７】
図３はマネーケース５を示す側面図、図４はマネーケース５を示す正面図、図５はキャッシュボックス４の引出開放状態におけるマネーケース５の前面周辺を拡大して示す側面図である。マネーケース５の手前側の前面壁には、その上端から略水平方向に伸びるフランジ部Ｆが設けられている。このフランジ部Ｆは、マネーケース５を補強する補強材として機能し、マネーケース５に対するコインケース９の着脱時やキャッシュボックス４に対するマネーケース５の着脱時等にマネーケース５の破損を防止する。また、フランジ部Ｆの両端には、フランジ部Ｆの先端からマネーケース５の前面壁に向かって傾斜する２つのガイド部材Ｇが各々設けられている。このガイド部材Ｇには、手前側から奥側に向かうに従い低くなるように平坦に形成された傾斜面Ｓが設けられており、ガイド部材Ｇは、キャッシュボックス４の前面壁の上端と当接してフランジ部Ｆを傾斜面Ｓの傾斜方向に案内して滑り落とし、マネーケース５をキャッシュボックス４内に導くものである。
【００１８】
このような構成において、操作者が一旦取り出したマネーケース５を引出開放されたキャッシュボックス４内に収納する場合におけるガイド部材Ｇの機能について説明する。
【００１９】
操作者が一旦取り出したマネーケース５を引出開放されたキャッシュボックス４内に収納する場合には、操作者はマネーケース５を傾斜させ、マネーケース５の先端をキャッシュボックス４の奥側へ挿入し、徐々にマネーケース５の手前側を降下させることでマネーケース５を収納する。このとき、マネーケース５の先端がキャッシュボックス４の奥側まで十分に挿入されていない場合には、マネーケース５の手前側がある程度まで下降すると、マネーケース５のガイド部材Ｇはキャッシュボックス４の前面壁の上端に当接する（図５参照）。そのまま、マネーケース５を挿入していくと、フランジ部Ｆはガイド部材Ｇによりその傾斜面Ｓの傾斜方向に案内されてキャッシュボックス４の前面壁の上端に引っ掛からずに滑り落ち、マネーケース５はキャッシュボックス４内に導かれる。あるいは、マネーケース５の手前側がある程度まで下降した状態で、操作者がマネーケース５から手を放しても、マネーケース５のガイド部材Ｇは重力に従ってキャッシュボックス４の前面壁の上端に当接する（図５参照）。すると、フランジ部Ｆはガイド部材Ｇによりその傾斜面Ｓの傾斜方向に案内されてキャッシュボックス４の前面壁の上端に引っ掛からずに自動的に滑り落ち、マネーケース５はキャッシュボックス４内に導かれる。
【００２０】
これにより、フランジ部Ｆがキャッシュボックス４の前面壁の上端に引っ掛かることが無くなり、マネーケース５がキャッシュボックス４内に完全に収納されるので、マネーケース５の破損を防止することができる。
【００２１】
また、本実施の形態では、ガイド部材Ｇは、フランジ部Ｆの両端に各々設けられているため、フランジ部Ｆがキャッシュボックス４の前面壁の上端に引っ掛かることを確実に防止することができる。
【００２２】
なお、本実施の形態においては、ガイド部材Ｇをフランジ部Ｆの先端から形成しているが、これに限るものではなく、例えばフランジ部Ｆの先端近傍位置、すなわちフランジ部Ｆの先端がキャッシュボックス４の前面壁の上端に引っ掛からない位置から形成しても良い。
【００２３】
また、本実施の形態においては、ガイド部材Ｇの傾斜面Ｓを平坦に形成しているが、これに限るものではなく、例えば縦断側面Ｒ形状に形成しても良い。
【００２４】
また、本実施の形態においては、フランジ部Ｆの両端に２つのガイド部材Ｇを各々設けているが、これに限るものではなく、例えばフランジ部の左右方向への長さが短い場合にフランジ部Ｆの中央に１つのガイド部材Ｇを設けても良く、また、フランジ部の左右方向への長さが極端に長い場合にフランジ部Ｆに複数個のガイド部材Ｇを並べて設けても良い。
【００２５】
【発明の効果】
本発明によれば、操作者が一旦取り出したマネーケースを引出開放されたキャッシュボックス内に収納する際に、フランジ部がガイド部材によってキャッシュボックスの前面壁の上端に引っ掛からずに滑り落ち、マネーケースがキャッシュボックス内に導かれて完全に収納されるので、マネーケースの破損を防止することができる。
【図面の簡単な説明】
【図１】本発明の実施の一形態のドロワ装置をＥＣＲと共に概略的に示す外観斜視図である。
【図２】キャッシュボックスの構造を概略的に示す分解斜視図である。
【図３】マネーケースを示す側面図である。
【図４】マネーケースを示す正面図である。
【図５】キャッシュボックスの引出開放状態におけるマネーケースの前面周辺を拡大して示す側面図である。
【図６】従来のマネーケースの内部構造を示す縦断側面図である。
【符号の説明】１…ドロワ装置、２…キャビネット、２ａ…開口部、４…キャッシュボックス、５…マネーケース、６…ケース収納部（券収納部）、７…紙幣収納部、９…コインケース、Ｆ…フランジ部、Ｇ…ガイド部材
【図１】
2004126668.tif 000003
【図２】
2004126668.tif 000004
【図３】
2004126668.tif 000005
【図４】
2004126668.tif 000006
【図５】
2004126668.tif 000007
【図６】
2004126668.tif 000008